(57)【特許請求の範囲】
【請求項１】
ズボンやスカートを吊下げる衣料用ハンガーの複数のクリップを、同時に操作する装置であって、ハンガーのクリップを、対向する一対の挟持片を有し、一端部に設けられ互いに圧接される挟持部と、他端部に設けられ互いに接近することにより前記挟持部を離反させる操作部とから構成したものにおいて、
前記ハンガーを載置する載置部と、
この載置部の前端部に設けられ前記ハンガーの前側への移動を規制するストッパと、
前記載置部に設けられ前記クリップの操作部を押圧する押圧機構部とを備え、
前記押圧機構部は、載置部に回動可能に支承されハンガーのクリップを押圧操作する押圧板と、
この押圧板の先端に回動可能に支承され載置部に載せられたハンガーをストッパに押し付けて該ハンガーの位置を決める位置決め板を備えていることを特徴とする衣料用ハンガーのクリップ操作装置。
【発明の詳細な説明】
【０００１】
【発明の属する技術分野】
本発明は、ズボンやスカートの衣服を、を複数個のクリップにより挟持する衣料用ハンガーに係わり、特には、複数のクリップを、機械的に同時に操作できるようにした衣料用ハンガーのクリップ操作装置に関する。
【０００２】
【従来の技術】
一般に、ズボンやスカート等下半身に着用する衣服を吊下げるハンガーは、横杆部に複数個のクリップを設け、これらのクリップによりズボンやスカートを挟持している。そして、吊手をバーに掛ければ、ズボンやスカートが吊下げられ、意匠、色目、大きさが一目で観察できる状態に展示される。
衣料の量販店においては、販売されるズボンやスカートは、縫製業者からハンガーのクリップに挟持された状態で納入され、そのまま展示場に展示している。そして、ズボンやスカートが販売されると、空いたハンガーは縫製業者へ返還され、再度、ズボンやスカートを挟着した状態で納入される。
【０００３】
【発明が解決しようとする課題】
上述の衣料用ハンガーにおいては、挟持部は、ばねにより相互に圧接されている。ズボンやスカートをハンガーに挟み込むときは、操作部を手で掴み、ばねの弾発力に抗して操作部を押え込み、挟持部を開かなければならないので、操作に指の力を必要とする。従って、多数の衣服をハンガーに挟み込む縫製業者の作業者にとっては、長時間作業をすると、疲労が激しいという問題点がある。
【０００４】
本発明は、上記の事情に鑑みてなされたもので、その目的は、ハンガーのクリップを機械的に操作して、長時間作業しても作業者の疲労が少ない衣料用ハンガーのクリップ操作装置を提供するにある。
【０００５】
【課題を解決するための手段】
請求項１の発明は、ズボンやスカートを吊下げる衣料用ハンガーの複数のクリップを、同時に操作する装置であって、ハンガーのクリップを、対向する一対の挟持片を有し、一端部に設けられ互いに圧接される挟持部と、他端部に設けられ互いに接近することにより前記挟持部を離反させる操作部とから構成したものにおいて、
前記ハンガーを載置する載置部と、
この載置部の前端部に設けられ前記ハンガーの前側への移動を規制するストッパと、
前記載置部に設けられ前記クリップの操作部を押圧する押圧機構部とを備えたところに特徴を有する。
【０００６】
押圧機構部は、載置部に回動可能に支承されハンガーのクリップを押圧操作する押圧板と、この押圧板の先端に回動可能に支承され載置部に載せられたハンガーをストッパに押し付けて該ハンガーの位置を決める位置決め板を備えているところに特徴を有する。
【０００７】
【発明の実施の形態】
以下、本発明の第１の実施例について図１〜図５を参照して説明する。
まず、図２において、本発明が対象とする衣料用ハンガー１について説明する。このハンガー１は、本体１ａの中央から上方に吊手２が設けられ、本体１ａの左右に横杆部３が設けられている。この横杆部３には、複数個例えば２個のクリップ４が移動可能に設けられており、クリップ４の間隔が吊下げる衣服に応じて調整可能になっている。
【０００８】
このクリップ４は、対向して配置された一対の挟持片５，５が、その中央部において回動可能に連結され、これらの間にばね６が介装されている。このばね６は、常時は挟持片５，５を付勢しており、一端部が互いに圧接する挟持部７を形成し、他端部が互いに間隔を存して対向した操作部８としている。そして、操作部８を、ばね６の弾発力に抗して互いに接近する方向に移動すると、挟持部７が開くようになっている。
【０００９】
つぎに、操作装置１０について説明する。
フレーム１１は、Ｈ形の脚部１２にアングル１３（片側のみ図示）を立設して構成され、上端部に平板状の載置部１４が取付けられている。
載置部１４の前側中央には、ストッパ１５が立設されている。このストッパ１５は、複数種類の大きさの異なるハンガー１に対応できるように、載置部１４の前端部１４ａからの距離が調整できるようになっている。
また、載置部１４の後端部には押圧機構部２１が設けられている。
【００１０】
つぎに、押圧機構部２１について説明する。
載置部１４には、後端部の両側に位置してそれぞれ軸受板２２が突設され、これに軸２３が取着されている。２枚の押圧板２４は、後端部が軸２３に回動可能に支承され、前端部は斜め上方を指向しており、載置部１４との間に間隔を有している。
【００１１】
また、各押圧板２４の先端部には、位置決め板５１が回動可能に支承され、ばね５２により前方に向けて付勢されている。この位置決め板５１は、図示しないストッパーにより、常時は載置部１４にほぼ直交する位置に保持されている。そして、ハンガー１が挿入されると、本体１ａまたはクリップ４に当接してこのハンガー１をストッパ１５に押し付け、該ハンガー１の前後の位置を一定に決めている。
尚、この実施例においては、操作時において、位置決め板５１が押圧板２４と重なってクリップ４を押圧しているが、これに限らず、位置決め板５１をクリップ４と接触しない位置に設けて本体１ａを前方に付勢するように構成し、クリップ４の押圧操作は押圧板２４のみで行なうようにしても良い。
【００１２】
足踏み板２５は、前端部が脚部１２に対して上下方向に回動可能に支承され、後端部と２枚の押圧板２４との間にそれぞれ連結杆２６，２７が接続されている。尚、足踏み板２５は、載置部１４との間に接続されたばね２８により常時、上方に付勢されている。ロック板２９は、図３に示すように、Ｌ字状をなしており、上端がフレーム１１のピン１１ａに支承されて、下端部が足踏み板２５の方向に回動可能になっている。また、足踏み板２５に対向する面部には、下方に係止部３０が形成されており、これと直交する面部に復帰部３１が設けられている。このロック板２９は、図示しないばねにより、常時は、側端面が足踏み板２５に圧接されている。
尚、足踏み板は、上記構成に限らず、図４に示すように、足踏み板３２の後端部を脚部１２に支承し、前端部を踏み込むようにしても良い。
【００１３】
つぎに上記構成の作用について図１及び図５を参照して説明する。
図１に示すように、載置部１４の前方から位置決め板６１を押し込みながらハンガー１を載置部１４の上面に載置する。ハンガー１は、ばね６２の弾発力に付勢され位置決め板６１を介して横杆部３の中央部がストッパ１５に当接される。この場合、吊手２が軸受板２２の中間部に位置しており、ハンガー１の左右への移動は、吊手２が軸受板２２に当接することにより制限されている。尚、軸受板２２に限らずハンガー１が左右に移動したとき当接する左右の移動規制部を設けるようにしてもよい。
そして、左右のクリップ４，４は、それぞれ押圧板２４の下方に位置し、挟持部７は載置部１４から前方に突出している（図５参照）。
【００１４】
そこで、作業者が足踏み板２５を踏み込むと、足踏み板２５は下方へ移動し、連結杆２６，２７を介して押圧板２４の先端が下降して、図５に二点鎖線で示すように、位置決め板６１は回動して押圧板２４に重なり、押圧板２４が操作部８をばね６の弾発力に抗して押し下げる。これにより、挟持部７の先端が開く。このとき、押圧板２４の傾斜によりクリップ４，４が前方向に押し出だされるが、ハンガー１がストッパ１５に当接するので、その位置は変化しない。
一方、足踏み板２５が下降することにより、図３に示すように、ロック板２９が２９ａの位置まで移動して係止部３０が足踏み板２５に係止し、足踏み板２５が上昇することを阻止する。この結果、作業者が足を離しても、挟持部７は、先端が開いた状態に維持される。
【００１５】
つぎに、作業者は、ハンガー１に取付ける衣服Ｃ例えばズボンやスカート等の両端部を両手で持ち、該衣服Ｃを左右に引っ張って緊張させた状態で各クリップ４の挟持部７に挿入する。
そこで、復帰部３１にひざ等を当てがって、ロック板２９を図３に示す２９ｂまで移動させると、係止部３０の係止が解除されるので、足踏み板２５はばね２８の弾発力により上方へ復帰する。即ち、押圧板２４及び位置決め板６１が上方へ復帰し、操作部８の圧力が解除されるので、クリップ４も同時に復帰して、衣服Ｃは、クリップ４の挟持部７に挟持される。
そこで、ハンガー１を衣服Ｃとともに取り出した後、新たなハンガー１を供給して、前記の工程を繰り返す。
【００１６】
上記第１の実施例によれば、つぎの効果を奏する。
▲１▼，押圧機構部２１を操作すれば、ハンガー１の複数のクリップ４が、機械的に同時に操作されるので、作業者は、手でクリップ４の操作部８を押し込む必要がなく、多数の衣服をハンガー１に挟み込んでも疲労が少ない。
▲２▼，衣服をハンガー１に挟み込むときに、両手が利用できるので、作業が容易であり、且つ、衣服がハンガー１に取付けられたとき、しわやたるみ等が発生せず、きれいに取付けられる。
▲３▼，作業時間が短縮できる。
▲４▼，ハンガー１即ちクリップ４が常に一定の位置に置かれているので、衣服を挟む作業が確実且つ容易にできる。
【００１７】
図６及び図７は、本発明の第２の実施例を示すもので、第１の実施例との相違は、押圧機構部としてエアシリンダ４１を用いたものである。
この第２の実施例においては、載置部１４に門形の支持枠４２が取着されており、この支持枠４２に２個のエアシリンダ４１が取付けられている。このエアシリンダ４１は、ハンガー１の大きさが異なる場合にも対応してクリップ４の略上方に位置するように、取付位置が調整できるようになっている。
【００１８】
このエアシリンダ４１の下端部には押圧板４３が取着されている。また、エアシリンダ４１は足踏みスイッチ４４により操作されるもので、１回踏むとエアシリンダ４１が動作する。さらに、もう１回踏むとエアシリンダ４１が復帰するようになっている。
尚、押圧機構部は、１個のエアシリンダ４１で構成しても良い。
【００１９】
ハンガー１は、自動供給装置４５により運搬され、載置部１４の後端部から左右の移動規制部としての一対のガイド板４６に案内されて載置部１４上の所定の位置に運ばれ、ストッパ１５に当接する。
そこで、足踏みスイッチ４４を踏むと、エアシリンダ４１が下降して、前述と同様に、押圧板４３が操作部８をばね６の弾発力に抗して押し下げる。これにより、挟持部７の先端が開く。
【００２０】
そこで、作業者は、ハンガー１に取付ける衣服例えばズボンやスカート等を両手で持ち、各クリップ４の挟持部７に挿入し、足踏みスイッチ４４を踏むと、エアシリンダ４１が復帰する。即ち、押圧板４３が上方へ復帰し、クリップ４も同時に復帰するので、衣服Ｃは、クリップ４の挟持部７に挟持される。
この第２の実施例においても、第１の実施例と同様の効果を奏するものである。
【００２１】
図８〜図１０は、本発明の第３の実施例を示すもので、第１の実施例との相違は、ロック板２９の代わりにロック装置６１を用いたものである。
図８において、ロック棒６２は、足踏み板２５の先端に略直角に立設されている。操作板６３は、足踏み板２５の上に重ねられ、一端が足踏み板２５に回動可能に支承され、他端に形成された丸孔または長孔６４がロック棒６２に挿入されている。本実施例においては、操作板６３の一端に設けられた折返し片６３ａにピン６５が連結されており、このピン６５が足踏み板２５の下面に当接している。制動板６６は、一端がアングル１３に取着された箱状の受け部６７に支持され、他端に形成された孔６８がロック棒６２に嵌合している。この制動板６６は、アングル１３との間に介装されたばね６９により常時上方へ付勢されている。尚、制動板６６と操作板６３との間には連結杆７０が取付けられている。
【００２２】
この第３の実施例においては、足踏み板２５を踏み込むと、ロック棒６２が制動板６６の孔６８を摺動しながら下降して、前述のようにクリップ４が広げられる。このとき、制動板６６の傾斜状態は変わらず、孔６８はロック棒６２に対して斜めに接触している（図９参照）ので、制動板６６とロック棒６２との摩擦力が大きい。従って、足踏み板２５から足を離しても、ロック棒６２の上昇が阻止されて、足踏み板２５はロック状態に保持される。
【００２３】
つぎに、操作板６３を踏むと、図１０に示すように、連結杆７０を介して制動板６６の先端が下降して、ロック棒６２に略直交した状態になる。これにより、ロック棒６２と孔６８との間に隙間ができ摩擦力がなくなる。即ち、ロック状態は解除され、ロック棒６２即ち足踏み板２５が上昇して復帰する。
尚、足踏み板２５と操作板６３とを同時に踏み込んだ場合には、ロック状態にはならず、足を離した途端に足踏み板２５が復帰する。
【００２４】
この第３の実施例においては、足踏み板２５から足を離せば、その位置で足踏み板２５がロックされるという効果を奏するものである。
また、足踏み板２５と操作板６３とを同時に踏み込めば、足を離したときに足踏み板２５が復帰するという操作もできる。
【００２５】
【発明の効果】
本発明は、ズボンやスカートを吊下げる衣料用ハンガーの複数のクリップを、同時に操作する装置であって、ハンガーのクリップを、対向する一対の挟持片を有し、一端部に設けられ互いに圧接される挟持部と、他端部に設けられ互いに接近することにより前記挟持部を離反させる操作部とから構成したものにおいて、前記ハンガーを載置する載置部と、この載置部の前端部に設けられ前記ハンガーの移動を規制するストッパと、前記載置部に設けられ前記クリップの操作部を押圧する押圧機構部とを備えたので、ハンガーのクリップが機械的に同時に操作されて、長時間作業しても作業者の疲労が少なく、また、ハンガーへ取付けた衣服にしわやたるみが発生しないという優れた効果を奏するものである。
また、位置決め板によりハンガーを常に一定の位置に置くので、衣服を挟む作業が確実且つ容易にできるという優れた効果を奏するものである。
【図面の簡単な説明】
【図１】  本発明の第１の実施例の斜視図である。
【図２】  衣服用ハンガーの斜視図である。
【図３】  足踏み板とロック板との関係を示す正面図である。
【図４】  足踏み板の異なる実施例を示す側面図である。
【図５】  押圧機構部の作用を説明するための側面図である。
【図６】  本発明の第２の実施例を示す平面図である。
【図７】  作用を説明するための側面図である。
【図８】  本発明の第３の実施例を示す拡大斜視図である。
【図９】  ロック状態を拡大して示す側面図である。
【図１０】ロック解除を拡大して示す側面図である。
【符号の説明】
１  ハンガー
３  横杆部
４  クリップ
７  挟持部
８  操作部
１０  操作装置
１４  載置部
１５  ストッパ
２１  押圧機構部
２４  押圧板
２５  足踏み板
２６  連結杆
２７  連結杆
２９  ロック板
２９ａ係止部
３０  復帰部
３１  足踏み板
４１  エアシリンダ（押圧機構部）
４３  押圧板
５１  位置決め板
６１  ロック装置
【図１】
0003726144.tif 000002
【図２】
0003726144.tif 000003
【図３】
0003726144.tif 000004
【図４】
0003726144.tif 000005
【図５】
0003726144.tif 000006
【図６】
0003726144.tif 000007
【図７】
0003726144.tif 000008
【図８】
0003726144.tif 000009
【図９】
0003726144.tif 000010
【図１０】
0003726144.tif 000011